【手続補正書】
【提出日】平成26年10月28日(2014.10.28)
【手続補正１】
【補正対象書類名】特許請求の範囲
【補正対象項目名】全文
【補正方法】変更
【補正の内容】
【特許請求の範囲】
【請求項１】
符号分割多元接続システムにおける無線通信のための方法であって、
通常帯域幅符号分割多元接続チャネルのための
移動デバイスのチップレートを特定することと、
前記通常帯域幅チャネルによって占有されるスペクトルとは異なるフレキシブル帯域幅符号分割多元接続チャネルのために使用されるスペクトルを特定することであって、前記特定されたスペクトルが前記フレキシブル帯域幅チャネルのための使用に利用可能であると判断されたスペクトルを含む、特定することと、
前記フレキシブル帯域幅チャネルのために使用される前記利用可能なスペクトルに少なくとも部分的に基づいて前記フレキシブル帯域幅チャネルのためのチップレートを決定することと、
前記通常帯域幅チャネルのための前記チップレートから前記フレキシブル帯域幅チャネルのための前記チップレートへの適合にスケーリング係数を利用して前記移動デバイスの前記チップレートを動的に適合させることと、
前記フレキシブル帯域幅チャネルのための前記チップレートを利用して前記利用可能なスペクトル上の前記フレキシブル帯域幅チャネルを介して送信することと、
を備える方法。
【請求項２】
前記移動デバイスの前記チップレートを動的に適合させるために基地局から適合情報を受信すること
をさらに備える、請求項１に記載の方法。
【請求項３】
前記フレキシブル帯域幅チャネルを特定するために１つまたは複数の中心周波数を受信することをさらに備える、請求項２に記載の方法。
【請求項４】
前記チップレートを適合させることが、オンザフライで前記チップレートを適合させることを含む、請求項１に記載の方法。
【請求項５】
オンザフライで前記チップレートを適合させることが、
前記移動デバイスが前記チップレートを適合させるにつれて、前記通常帯域幅チャネルから前記フレキシブル帯域幅チャネルへと移動させることを備える、請求項４に記載の方法。
【請求項６】
オンザフライで前記チップレートを適合させることが、
前記移動デバイスが前記チップレートを適合させるにつれて、第１の中心周波数から第２の中心周波数へ同調させることを備える、請求項４に記載の方法。
【請求項７】
前記チップレートを適合させることが、前記移動デバイスの処理の周波数を適合させることを含む、請求項１に記載の方法。
【請求項８】
前記チップレートを適合させることが、前記処理の周波数を変更するために分周器を使用することを含む、請求項７に記載の方法。
【請求項９】
前記チップレートを前記適合させることが、少なくとも１つのクロックの周波数を適合させることを含み、前記少なくとも１つのクロックが、ＡＤＣクロック、ＤＡＣクロック、処理クロック、またはオフラインクロックのうちの少なくとも１つを含む、請求項１に記載の方法。
【請求項１０】
前記チップレートを適合させることが、前記少なくとも１つのクロックの前記周波数を変更するために分周器を使用することを含む、請求項９に記載の方法。
【請求項１１】
前記フレキシブル帯域幅チャネルが、前記通常帯域幅チャネルよりも小さい、請求項１に記載の方法。
【請求項１２】
前記フレキシブル帯域幅チャネルが、前記通常帯域幅チャネルよりも大きい、請求項１に記載の方法。
【請求項１３】
前記適合させたチップレートを利用して周波数チャネルを複数のより狭い周波数チャネルへと分割することをさらに備える、請求項１に記載の方法。
【請求項１４】
前記適合させたチップレートを利用して複数の周波数チャネルをより広い周波数チャネルへと結合することをさらに備える、請求項１に記載の方法。
【請求項１５】
符号分割多元接続システムにおける無線通信のための方法であって、
通常帯域幅符号分割多元接続チャネルのための基地局におけるチップレートを決定することと、
前記通常帯域幅チャネルによって占有されるスペクトルとは異なるフレキシブル帯域幅符号分割多元接続チャネルのために使用される利用可能なスペクトルを特定することと、
前記フレキシブル帯域幅チャネルのために使用される前記利用可能スペクトルに少なくとも部分的に基づいて前記フレキシブル帯域幅チャネルのためのチップレートを決定することと、
前記フレキシブル帯域幅チャネルのための前記チップレートを利用するために前記利用可能なスペクトル上に前記フレキシブル帯域幅チャネルを構成することと、
前記通常帯域幅チャネルのための前記チップレートを利用して前記通常帯域幅チャネル上に第１の波形を送信することと、
前記フレキシブル帯域幅チャネルのためのチップレートを利用して前記フレキシブル帯域幅チャネル上に第２の波形を前記第１の波形の送信と同時に送信することと、
を備える方法。
【請求項１６】
前記フレキシブル帯域幅チャネルのための前記チップレートを移動デバイスに通知するために前記基地局から前記移動デバイスへ構成情報を送信することをさらに備える、請求項１５に記載の方法。
【請求項１７】
前記フレキシブル帯域幅チャネルを特定するために前記基地局から前記移動デバイスへ１つまたは複数の中心周波数を送信することをさらに備える、請求項１６に記載の方法。
【請求項１８】
前記利用可能なスペクトル上に前記フレキシブル帯域幅チャネルを構成することが、前記基地局における処理の周波数を適合させることを含む、請求項１５に記載の方法。
【請求項１９】
前記利用可能なスペクトル上に前記フレキシブル帯域幅チャネルを構成することが、少なくとも１つのクロックの周波数を適合させることを含み、前記少なくとも１つのクロックが、ＡＤＣクロック、ＤＡＣクロック、処理クロック、またはオフラインクロックのうちの少なくとも１つを含む、請求項１５に記載の方法。
【請求項２０】
前記通常帯域幅チャネルおよび前記フレキシブル帯域幅チャネルが、同じ無線接続技術を利用する、請求項１５に記載の方法。
【請求項２１】
前記利用可能なスペクトル上に前記フレキシブル帯域幅チャネルを構成することが、要求されたサービス品質に基づく、請求項１５に記載の方法。
【請求項２２】
前記利用可能なスペクトル上に前記フレキシブル帯域幅チャネルを構成することが、負荷に基づく、請求項１５に記載の方法。
【請求項２３】
前記利用可能なスペクトル上に前記フレキシブル帯域幅チャネルを構成することが、１つまたは複数の隣接セルのカバレッジに基づく、請求項１５に記載の方法。
【請求項２４】
周波数チャネルを複数のより狭い周波数チャネルへと分割すること
をさらに備える、請求項１５に記載の方法。
【請求項２５】
複数の周波数チャネルをより広い周波数チャネルへと結合すること
をさらに備える、請求項１５に記載の方法。
【請求項２６】
フレキシブル帯域幅チャネルを利用するために構成された符号分割多元接続通信システムであって、
通常帯域幅符号分割多元接続チャネルのための移動デバイスのチップレートを特定するための手段と、
前記通常帯域幅チャネルによって占有されるスペクトルとは異なるフレキシブル帯域幅符号分割多元接続チャネルのために使用されるスペクトルを特定するための手段であって、前記特定されたスペクトルが前記フレキシブル帯域幅チャネルのための使用に利用可能であると判断されたスペクトルを含む、特定するための手段と、
前記フレキシブル帯域幅チャネルのために使用される前記利用可能なスペクトルに少なくとも部分的に基づいて前記フレキシブル帯域幅チャネルのためのチップレートを決定するための手段と、
前記通常帯域幅チャネルのための前記チップレートから前記フレキシブル帯域幅チャネルのための前記チップレートへの適合にスケーリング係数を利用して前記移動デバイスの前記チップレートを動的に適合させるための手段と、
前記フレキシブル帯域幅チャネルのための前記チップレートを利用して前記利用可能なスペクトル上の前記フレキシブル帯域幅チャネルを介して送信するための手段と、
を備える、符号分割多元接続通信システム。
【請求項２７】
前記移動デバイスの前記チップレートを動的に適合させるために基地局から適合情報を受信するための手段をさらに備える、請求項２６に記載の無線通信システム。
【請求項２８】
オンザフライで前記移動デバイスの前記チップレートを適合させるための手段をさらに備える、請求項２６に記載の無線通信システム。
【請求項２９】
前記フレキシブル帯域幅チャネルを特定するために１つまたは複数の中心周波数を受信するための手段をさらに備える、請求項２７に記載の無線通信システム。
【請求項３０】
前記フレキシブル帯域幅チャネルを介して１つまたは複数のフレキシブル帯域幅波形を受信するための手段をさらに備える、請求項２６に記載の無線通信システム。
【請求項３１】
前記チップレートを前記適合させることが、前記移動デバイスの処理の周波数、少なくとも１つのクロックの周波数を適合させることを含み、前記少なくとも１つのクロックが、ＡＤＣクロック、ＤＡＣクロック、処理クロック、またはオフラインクロックのうちの少なくとも１つを含む、請求項２６に記載の無線通信システム。
【請求項３２】
前記適合させたチップレートを利用して周波数チャネルを複数のより狭い周波数チャネルへと分割するための手段をさらに備える、請求項２６に記載の無線通信システム。
【請求項３３】
前記適合させたチップレートを利用して複数の周波数チャネルをより広い周波数チャネルへと結合するための手段をさらに備える、請求項２６に記載の無線通信システム。
【請求項３４】
符号分割多元接続通信システム内でフレキシブル帯域幅チャネルを利用するためのコンピュータプログラム製品であって、
通常帯域幅符号分割多元接続チャネルのための移動デバイスのチップレートを特定するためのコードと、
前記通常帯域幅チャネルによって占有されるスペクトルとは異なるフレキシブル帯域幅符号分割多元接続チャネルのために使用されるスペクトルを特定するためのコードであって、前記特定されたスペクトルが前記フレキシブル帯域幅チャネルのための使用に利用可能であると判断されたスペクトルを含む、特定するためのコードと、
前記フレキシブル帯域幅チャネルのために使用される前記利用可能なスペクトルに少なくとも部分的に基づいて前記フレキシブル帯域幅チャネルのためのチップレートを決定するためのコードと、
前記通常帯域幅チャネルのための前記チップレートから前記フレキシブル帯域幅チャネルのための前記チップレートへの適合にスケーリング係数を利用して前記移動デバイスの前記チップレートを動的に適合させるためのコードと、
前記フレキシブル帯域幅チャネルのための前記チップレートを利用して前記利用可能なスペクトル上の前記フレキシブル帯域幅チャネルを介して送信するためのコードと、
を備える非一時的なコンピュータ可読媒体を備える、コンピュータプログラム製品。
【請求項３５】
前記非一時的なコンピュータ可読媒体が、
前記移動デバイスの前記チップレートを動的に適合させるために基地局から適合情報を受信するためのコードをさらに備える、請求項３４に記載のコンピュータプログラム製品。
【請求項３６】
前記非一時的なコンピュータ可読媒体が、
前記移動デバイスが前記チップレートを適合させるにつれて、第１の中心周波数から第２の中心周波数へ同調させるためのコードをさらに備える、請求項３４に記載のコンピュータプログラム製品。
【請求項３７】
前記非一時的なコンピュータ可読媒体が、
前記フレキシブル帯域幅チャネルを特定するために１つまたは複数の中心周波数を受信するためのコードをさらに備える、請求項３５に記載のコンピュータプログラム製品。
【請求項３８】
前記非一時的なコンピュータ可読媒体が、
前記フレキシブル帯域幅チャネルを介して１つまたは複数のフレキシブル帯域幅波形を受信するためのコードをさらに備える、請求項３４に記載のコンピュータプログラム製品。
【請求項３９】
前記チップレートを前記適合させることが、前記移動デバイスの処理の周波数、少なくとも１つのクロックの周波数を適合させることを含み、前記少なくとも１つのクロックが、ＡＤＣクロック、ＤＡＣクロック、処理クロック、またはオフラインクロックのうちの少なくとも１つを含む、請求項３４に記載のコンピュータプログラム製品。
【請求項４０】
符号分割多元接続システムにおいてフレキシブル帯域幅チャネルを利用するために構成された無線通信デバイスであって、
通常帯域幅符号分割多元接続チャネルのための移動デバイスのチップレートを特定し、
前記通常帯域幅チャネルによって占有されるスペクトルとは異なるフレキシブル帯域幅符号分割多元接続チャネルのために使用されるスペクトルを特定し、前記特定されたスペクトルが前記フレキシブル帯域幅チャネルのための使用に利用可能であると判断されたスペクトルを含むものであり、
前記フレキシブル帯域幅チャネルのために使用される前記利用可能なスペクトルに少なくとも部分的に基づいて前記フレキシブル帯域幅チャネルのためのチップレートを決定し、 
前記通常帯域幅チャネルのための前記チップレートから前記フレキシブル帯域幅チャネルのための前記チップレートへの適合にスケーリング係数を利用して前記移動デバイスの前記チップレートを動的に適合させ、
前記フレキシブル帯域幅チャネルのための前記チップレートを利用して前記利用可能なスペクトル上の前記フレキシブル帯域幅チャネルを介して送信するように構成された少なくとも１つのプロセッサと、
前記少なくとも１つのプロセッサに結合された少なくとも１つのメモリと、
を備える、無線通信デバイス。
【請求項４１】
前記少なくとも１つのプロセッサが、
前記移動デバイスの前記チップレートを動的に適合させるために基地局から適合情報を受信するようにさらに構成される、請求項４０に記載の無線通信デバイス。
【請求項４２】
前記少なくとも１つのプロセッサが、
前記移動デバイスが前記チップレートを適合させるにつれて、通常帯域幅チャネルから前記フレキシブル帯域幅チャネルへと移動させるようにさらに構成される、請求項４０に記載の無線通信デバイス。
【請求項４３】
前記少なくとも１つのプロセッサが、
前記フレキシブル帯域幅チャネルを特定するために１つまたは複数の中心周波数を受信するようにさらに構成される、請求項４１に記載の無線通信デバイス。
【請求項４４】
前記少なくとも１つのプロセッサが、
前記フレキシブル帯域幅チャネルを介して１つまたは複数のフレキシブル帯域幅波形を受信するようにさらに構成される、請求項４０に記載の無線通信デバイス。
【請求項４５】
前記チップレートを適合させることが、前記移動デバイスの処理の周波数、少なくとも１つのクロックの周波数を適合させることを含み、前記少なくとも１つのクロックが、ＡＤＣクロック、ＤＡＣクロック、処理クロック、またはオフラインクロックのうちの少なくとも１つを含む、請求項４０に記載の無線通信デバイス。
【請求項４６】
フレキシブル帯域幅を利用するために構成された符号分割多元接続通信システムであって、
通常帯域幅符号分割多元接続チャネルのための基地局におけるチップレートを決定するための手段と、
前記通常帯域幅チャネルによって占有されるスペクトルとは異なるフレキシブル帯域幅符号分割多元接続チャネルのために使用される利用可能なスペクトルを特定するための手段と、
前記フレキシブル帯域幅チャネルのために使用される前記利用可能スペクトルに少なくとも部分的に基づいて前記フレキシブル帯域幅チャネルのためのチップレートを決定するための手段と、
前記フレキシブル帯域幅チャネルのための前記チップレートを利用するために前記利用可能なスペクトル上に前記フレキシブル帯域幅チャネルを構成するための手段と、
前記通常帯域幅チャネルのための前記チップレートを利用して前記通常帯域幅チャネル上に第１の波形を送信するための手段と、
前記フレキシブル帯域幅チャネルのためのチップレートを利用して前記フレキシブル帯域幅チャネル上に第２の波形を前記第１の波形の送信と同時に送信するための手段と、
を備える、符号分割多元接続通信システム。
【請求項４７】
前記フレキシブル帯域幅チャネルのための前記チップレートを移動デバイスに通知するために前記基地局から前記移動デバイスへ構成情報を送信するための手段をさらに備える、請求項４６に記載の無線通信システム。
【請求項４８】
前記フレキシブル帯域幅チャネルを特定するために前記基地局から前記移動デバイスへ１つまたは複数の中心周波数を送信するための手段
をさらに備える、請求項４７に記載の無線通信システム。
【請求項４９】
前記チップレートを適合させることが、少なくとも要求されたサービス品質、負荷、または１つもしくは複数の隣接セルのカバレッジに基づく、請求項４６に記載の無線通信システム。
【請求項５０】
周波数チャネルを複数のより狭い周波数チャネルへと分割するための手段をさらに備える、請求項４６に記載の無線通信システム。
【請求項５１】
複数の周波数チャネルをより広い周波数チャネルへと結合するための手段をさらに備える、請求項４６に記載の無線通信システム。
【請求項５２】
符号分割多元接続通信システム内でフレキシブル帯域幅を利用するためのコンピュータプログラム製品であって、
通常帯域幅符号分割多元接続チャネルのための基地局におけるチップレートを決定するためのコードと、
前記通常帯域幅チャネルによって占有されるスペクトルとは異なるフレキシブル帯域幅符号分割多元接続チャネルのために使用される利用可能なスペクトルを特定するためのコードと、
前記フレキシブル帯域幅チャネルのために使用される前記利用可能スペクトルに少なくとも部分的に基づいて前記フレキシブル帯域幅チャネルのためのチップレートを決定するためのコードと、
前記フレキシブル帯域幅チャネルのための前記チップレートを利用するために前記利用可能なスペクトル上に前記フレキシブル帯域幅チャネルを構成するためのコードと、
前記通常帯域幅チャネルのための前記チップレートを利用して前記通常帯域幅チャネル上に第１の波形を送信するためのコードと、
前記フレキシブル帯域幅チャネルのためのチップレートを利用して前記フレキシブル帯域幅チャネル上に第２の波形を前記第１の波形の送信と同時に送信するためのコードと、
を備える非一時的なコンピュータ可読媒体を備える、コンピュータプログラム製品。
【請求項５３】
前記非一時的なコンピュータ可読媒体が、
前記適合させたチップレートを移動デバイスに通知するために前記基地局から前記移動デバイスへ適合情報を送信するためのコードをさらに備える、請求項５２に記載のコンピュータプログラム製品。
【請求項５４】
前記非一時的なコンピュータ可読媒体が、
前記フレキシブル帯域幅チャネルを特定するために前記基地局から前記移動デバイスへ１つまたは複数の中心周波数を送信するためのコードをさらに備える、請求項５３に記載のコンピュータプログラム製品。
【請求項５５】
前記チップレートを適合させることが、少なくとも要求されたサービス品質、負荷、または１つもしくは複数の隣接セルのカバレッジに基づく、請求項５２に記載のコンピュータプログラム製品。
【請求項５６】
符号分割多元接続システムにおいてフレキシブル帯域幅を利用するために構成された無線通信デバイスであって、
通常帯域幅符号分割多元接続チャネルのための基地局におけるチップレートを決定し、
前記通常帯域幅チャネルによって占有されるスペクトルとは異なるフレキシブル帯域幅符号分割多元接続チャネルのために使用される利用可能なスペクトルを特定し、
前記フレキシブル帯域幅チャネルのために使用される前記利用可能スペクトルに少なくとも部分的に基づいて前記フレキシブル帯域幅チャネルのためのチップレートを決定し、
前記フレキシブル帯域幅チャネルのための前記チップレートを利用するために前記利用可能なスペクトル上に前記フレキシブル帯域幅チャネルを構成し、
前記通常帯域幅チャネルのための前記チップレートを利用して前記通常帯域幅チャネル上に第１の波形を送信し、
前記フレキシブル帯域幅チャネルのためのチップレートを利用して前記フレキシブル帯域幅チャネル上に第２の波形を前記第１の波形の送信と同時に送信するように構成された少なくとも１つのプロセッサと、
前記少なくとも１つのプロセッサに結合された少なくとも１つのメモリと、
を備える、無線通信デバイス。
【請求項５７】
前記少なくとも１つのプロセッサが、
前記フレキシブル帯域幅チャネルのための前記チップレートを移動デバイスに通知するために前記基地局から前記移動デバイスへ構成情報を送信するようにさらに構成される、請求項５６に記載の無線通信デバイス。
【請求項５８】
前記少なくとも１つのプロセッサが、
前記フレキシブル帯域幅チャネルを特定するために前記基地局から前記移動デバイスへ１つまたは複数の中心周波数を送信するようにさらに構成される、請求項５７に記載の無線通信デバイス。
【請求項５９】
前記チップレートを適合させることが、少なくとも要求されたサービス品質、負荷、または１つもしくは複数の隣接セルのカバレッジに基づく、請求項５６に記載の無線通信デバイス。
【請求項６０】
前記通常帯域幅チャネル上の前記第１の波形と前記フレキシブル帯域幅チャネル上の前記第２の波形との両方が同時に前記基地局から移動デバイスへ送信される、請求項１５に記載の方法。
【請求項６１】
基地局から前記フレキシブル帯域幅符号分割多元接続チャネルのために使用される前記スペクトルの指示を受信することをさらに備える、請求項１に記載の方法。
【請求項６２】
フレキシブル帯域幅符号分割多元接続チャネルのために使用される前記スペクトルが不使用スペクトルの帯域の一部分を含む、請求項１に記載の方法。
【請求項６３】
前記符号分割多元接続システムがＣＤＭＡシステム、広帯域ＣＤＭＡ(ＣＤＭＡ)システム、またはユニバーサルモバイルテレコミュニケーションシステム（ＵＭＴＳ）を備える、請求項１に記載の方法。
【請求項６４】
フレキシブル帯域幅符号分割多元接続チャネルのために使用される前記スペクトルが不使用スペクトルの帯域の一部分を含む、請求項１５に記載の方法。
【請求項６５】
前記符号分割多元接続システムがＣＤＭＡシステム、広帯域ＣＤＭＡ(ＣＤＭＡ)システム、またはユニバーサルモバイルテレコミュニケーションシステム（ＵＭＴＳ）を備える、請求項１５に記載の方法。
【手続補正２】
【補正対象書類名】明細書
【補正対象項目名】００１３
【補正方法】変更
【補正の内容】
【００１３】
無線通信のための方法のいくつかの実施形態は、フレキシブル帯域幅チャネルを利用するために、基地局におけるチップレートを適合させることを含み得る。適合情報は、適合させたチップレートを移動デバイスに通知するために、基地局から移動デバイスへ送信され得る。１つまたは複数の中心周波数は、フレキシブル帯域幅チャネルを特定するために、移動デバイスに通信され得る。チップレートを適合させることは、基地局における処理の周波数を適合させることを含み得る。いくつかの実施形態では、チップレートを適合させることは、少なくとも１つのクロックの周波数を適合させることを含み、ここでは、少なくとも１つのクロックが、ＡＤＣクロック、ＤＡＣクロック、処理クロック、またはオフラインクロックのうちの少なくとも１つを含む。
【手続補正３】
【補正対象書類名】明細書
【補正対象項目名】００５２
【補正方法】変更
【補正の内容】
【００５２】
いくつかの実施形態では、この出願の全体を通して移動デバイス１１５などの無線デバイスは、オンザフライでそれ自体のチップレートを動的に適合させることができる。移動デバイスは、例えば、通常帯域幅チャネル上にキャンプオンできる。移動デバイスがフレキシブル帯域幅チャネルへと移動するにつれて、移動デバイスがフレキシブル帯域幅チャネルを介して通信できるように、移動デバイスは、それ自体のチップレートを同時に適合させることができる。いくつかの実施形態では、移動デバイスが通常帯域幅チャネルからフレキシブル帯域幅チャネルへ同調されるにつれて、移動デバイスは、それ自体のチップレートを適合させることができる。これは、移動デバイスを１つの中心周波数から別の中心周波数へ同調させることを包含できる。いくつかのケースでは、移動デバイスがそれ自体のチップレートを適宜に適合させるにつれて、移動デバイスは、１つのフレキシブル帯域幅チャネルから別のフレキシブル帯域幅チャネルへ同調させることもでき、または通常帯域幅チャネルもしくは別の通常帯域幅チャネルへと戻すことができる。いくつかの実施形態では、オンザフライでそれ自体にチップレートを適合させるよりはむしろ、移動デバイスは、それ自体のチップレートを最初に適合させることができ、次いでフレキシブル帯域幅チャネルまたは通常帯域幅チャネルなどの別のチャネルへと移動するまたは同調させることができる。いくつかの実施形態では、移動デバイスは、フレキシブル帯域幅チャネルまたは通常帯域幅チャネルなどの別のチャネルへと最初に移動するまたは同調させることができ、次いでそれ自体のチップレートを適合させることができる。移動デバイスのチップレートを適合させることは、オンザフライであるか否かにかかわらず、いくつかの実施形態では臨機応変に行われることがある。
【手続補正４】
【補正対象書類名】明細書
【補正対象項目名】００５５
【補正方法】変更
【補正の内容】
【００５５】
図３は、様々な実施形態に従ってフレキシブル帯域幅が利用され得る一例を示す。図３は、米国における８００ＭＨｚスペクトル（参照番号３００）を描く。モバイル送信帯域３１０およびベース送信帯域３２０からの部分を含むフレキシブル帯域幅ｃｄｍａ２０００が利用され得るスペクトルの空白部分がある。様々な可能なシナリオは、限定されないが、下記の可能なシナリオを含み、実装され得る。ＣＤＭＡセルラーオペレータに関して、フレキシブル帯域幅を利用する下記のチャネルが利用され得る：サブバンドＡ内のチャネル＃３１４のところの１／４（可能性として１／２）チャネル；サブバンドＢ内のチャネル＃３５３のところの１／４（可能性として１／２）チャネル；サブバンドＡ’内のチャネル＃５８６のところの１／２チャネル；サブバンドＡ’内のチャネル＃７０１のところの１／４チャネル；サブバンドＢ’内のチャネル＃７３２のところの１／４チャネル；および／またはサブバンドＢ’内のチャネル＃７８４のところの１／４チャネル。この例は、合計５つの追加チャネル、各々１／４幅および１／２チャネルまたは積極的には３チャネル１／４幅および３チャネル１／２幅、を示す。ＣＤＭＡ  ＰＣＳオペレータに関して、フレキシブル帯域幅を利用する下記のチャネルが利用され得る：サブバンドＡ内のチャネル＃９のところの１／４チャネル；サブバンドＡ内のチャネル＃２９１のところの１／４チャネル；サブバンドＤ内のチャネル＃３０９のところの１／４チャネル；サブバンドＤ内のチャネル＃３９１のところの１／４チャネル；および／またはサブバンドＢと、Ｅと、Ｆと、Ｃとについて繰り返す。これは、各々１／４幅の合計１２個の追加チャネルを結果としてもたらすことがある。利用された他のチャネルは、他の実施形態において使用され得る。
【手続補正５】
【補正対象書類名】明細書
【補正対象項目名】００６３
【補正方法】変更
【補正の内容】
【００６３】
図１および／または図２の移動デバイス１１５などの移動デバイスは、デュアルモード（通常およびフレキシブル）で動作するように構成され得る。移動デバイスからサービスの要求を受信すると、そしてサービス品質に応じて、図１および／または図２の基地局１０５などの基地局は、移動デバイスがフレキシブル帯域幅波形を使用できるかを判断できる。基地局は、移動デバイスへフレキシブル帯域幅に関する中心周波数とスケーリング係数とを送ることができる。
【手続補正６】
【補正対象書類名】明細書
【補正対象項目名】００６９
【補正方法】変更
【補正の内容】
【００６９】
フレキシブル帯域幅の使用は、無線通信システム内の様々なパラメータに影響を与えることがある。図８は、あるチップレートを有するＲＦチャネルを割り当てるときに考慮するいくつかの選択肢を示す表８００を示し、ここでは、Ｗは帯域幅であり、Ｎはスケーリング係数であり、そしてｎはチャネル伝播定数である。表８００は、通常波形に関する：帯域幅＝Ｗ；データレート＝Ｒ；送信出力＝Ｐ；到達範囲＝Ｄ；および能力＝Ｃを含む。表８００は、マクロセル用のフレキシブル波形に関して、同じパラメータが下記のもの：帯域幅＝Ｗ／Ｎ；データレート＝Ｒ／Ｎ；送信出力＝Ｐ／Ｎ、到達範囲＝Ｄ；および能力＝Ｃに変わることを示す。フェムトセル用のフレキシブル波形に関して、パラメータは、下記のもの：帯域幅＝Ｗ／Ｎ；データレート＝Ｒ；送信出力＝Ｐ／Ｎ、到達範囲＝Ｄ；および能力＝Ｃ／Ｎに変わる。マクロセル用に拡大した到達範囲を有するフレキシブル波形では、パラメータは、下記のもの：帯域幅＝Ｗ／Ｎ；データレート＝Ｒ／Ｎ；送信出力＝Ｐ；到達範囲＝Ｄ＊Ｎ∧（１／ｎ）；および能力＝Ｃに変わる。
【手続補正７】
【補正対象書類名】明細書
【補正対象項目名】００８２
【補正方法】変更
【補正の内容】
【００８２】
チップレートモジュール９１０は、基地局における処理の周波数を適合させることを介してチップレートを適合させるように構成され得る。チップレートモジュール９１０によってチップレートを適合させることは、少なくとも１つのクロックの周波数を適合させることを含むことができ、ここでは、少なくとも１つのクロックが、ＡＤＣクロック、ＤＡＣクロック、処理クロック、またはオフラインクロックのうちの少なくとも１つを含む。いくつかの実施形態では、デバイス９００は、通常帯域幅チャネルおよびフレキシブル帯域幅チャネルが同じ無線接続技術を利用するように構成され得る。いくつかの実施形態では、これらは、異なる無線接続技術を利用することがある。
【手続補正８】
【補正対象書類名】明細書
【補正対象項目名】００９３
【補正方法】変更
【補正の内容】
【００９３】
基地局１０５−ｃは、基地局１０５−ｍおよび基地局１０５−ｎなどの他の基地局１０５とも通信できる。基地局１０５の各々は、異なる無線接続技術などの異なる無線通信技術を使用して移動デバイス１１５−ｄと通信できる。いくつかのケースでは、基地局１０５−ｃは、基地局通信モジュール１１０５を利用して、１０５−ｍおよび／または１０５−ｎなどの他の基地局と通信できる。いくつかの実施形態では、基地局通信モジュール１１０５は、ＬＴＥ無線通信技術内のＸ２インターフェースを提供することができ、基地局１０５のいくつかの間の通信を行うことができる。いくつかの実施形態では、基地局１０５−ｃは、コントローラ１２０−ａおよび／またはネットワーク１３０−ａを介して他の基地局と通信できる。
【手続補正９】
【補正対象書類名】明細書
【補正対象項目名】０１０１
【補正方法】変更
【補正の内容】
【０１０１】
図１２は、様々な実施形態に従った基地局１０５−ｄと移動デバイス１１５−ｅとを含むシステム１２００のブロック図である。このシステム１２００は、図１のシステム１００、図２Ａのシステム２００−ａ、図２Ｂのシステム２００−ｂ、図２Ｃのシステム２００−ｃ、図２Ｄのシステム２００−ｄ、および／または図１１のシステム１１００の一例であってよい。基地局１０５−ｄは、アンテナ１２３４−ａ〜１２３４−ｘを装備することができ、移動デバイス１１５−ｅは、アンテナ１２５２−ａ〜１２５２−ｎを装備できる。基地局１０５−ｄにおいて、送信プロセッサ１２２０は、データソースからデータを受信できる。
【手続補正１０】
【補正対象書類名】明細書
【補正対象項目名】０１０３
【補正方法】変更
【補正の内容】
【０１０３】
フレキシブル帯域幅モジュール１２４０は、基地局１０５−ｄにおける１つまたは複数のフレキシブル帯域幅チャネルを決定するように構成され得る。フレキシブル帯域幅モジュール１２４０は、通常帯域幅チャネルおよびフレキシブル帯域幅チャネル上に同時に送信するように、送信機プロセッサ１２２０と連携して働くことができる。いくつかの実施形態では、フレキシブル帯域幅モジュール１２４０と連携して送信機プロセッサ１２２０は、適合させたチップレートを移動デバイス１１５−ｅに通知するために、基地局１０５−ｄから移動デバイス１１５−ｅへ適合情報を送信できる。適合情報は、チップレートを適合させるために利用されことがあるスケーリング係数を含み得る。１つまたは複数の中心周波数は、フレキシブル帯域幅チャネルを特定するために、基地局から移動デバイス１１５−ｅへ送信され得る。
【手続補正１１】
【補正対象書類名】明細書
【補正対象項目名】０１２０
【補正方法】変更
【補正の内容】
【０１２０】
チップレートを適合させることは、基地局における処理の周波数を適合させることを含み得る。チップレートを適合させることは、少なくとも１つのクロックの周波数を適合させることを含み、ここでは、少なくとも１つのクロックが、ＡＤＣクロック、ＤＡＣクロック、処理クロック、またはオフラインクロックのうちの少なくとも１つを含む。
【手続補正１２】
【補正対象書類名】明細書
【補正対象項目名】０１２９
【補正方法】変更
【補正の内容】
【０１２９】
本開示の先の説明は、当業者が本開示を作成するまたは使用することを可能にするために提供される。本開示に対する様々な変更は、当業者には容易に明らかであり、本明細書において定義した一般的な原理は、本開示の精神または範囲から逸脱せずに他の変形形態に適用され得る。この開示の全体を通して、「例」または「例示的な」という用語は、例または事例を示し、そして記した例に関する何らかの優先性を示唆しないし必要としない。従って、本開示は、本明細書において記述した例または設計に限定されることはなく、本明細書において開示した原理および新規な特徴と整合する最も広い範囲に一致すべきである。
以下に本件出願当初の特許請求の範囲に記載された発明を付記する。
[Ｃ１]
無線通信のための方法であって、
移動デバイスのチップレートを特定することと、
前記移動デバイスがフレキシブル帯域幅チャネルを介して通信するように前記移動デバイスの前記チップレートを動的に適合させることとを備える方法。
[Ｃ２]
前記移動デバイスの前記チップレートを動的に適合させるために基地局から適合情報を受信することをさらに備える、Ｃ１に記載の方法。
[Ｃ３]
前記フレキシブル帯域幅チャネルを特定するために１つまたは複数の中心周波数を受信することをさらに備える、Ｃ２に記載の方法。
[Ｃ４]
前記チップレートを適合させることが、オンザフライで前記チップレートを適合させることを含む、Ｃ１に記載の方法。
[Ｃ５]
オンザフライで前記チップレートを適合させることが、
前記移動デバイスが前記チップレートを適合させるにつれて、通常帯域幅チャネルから前記フレキシブル帯域幅チャネルへと移動させることを備える、Ｃ４に記載の方法。
[Ｃ６]
オンザフライで前記チップレートを適合させることが、
前記移動デバイスが前記チップレートを適合させるにつれて、第１の中心周波数から第２の中心周波数へ同調させることを備える、Ｃ４に記載の方法。
[Ｃ７]
前記チップレートを適合させることが、前記移動デバイスの処理の周波数を適合させることを含む、Ｃ１に記載の方法。
[Ｃ８]
前記チップレートを適合させることが、前記処理の周波数を変更するために分周器を使用することを含む、Ｃ７に記載の方法。
[Ｃ９]
前記チップレートを前記適合させることが、少なくとも１つのクロックの周波数を適合させることを含み、前記少なくとも１つのクロックが、ＡＤＣクロック、ＤＡＣクロック、処理クロック、またはオフラインクロックのうちの少なくとも１つを含む、Ｃ１に記載の方法。
[Ｃ１０]
前記チップレートを適合させることが、前記少なくとも１つのクロックの前記周波数を変更するために分周器を使用することを含む、Ｃ９に記載の方法。
[Ｃ１１]
前記フレキシブル帯域幅チャネルが、通常帯域幅チャネルよりも小さい、Ｃ１に記載の方法。
[Ｃ１２]
前記フレキシブル帯域幅チャネルが、通常帯域幅チャネルよりも大きい、Ｃ１に記載の方法。
[Ｃ１３]
前記適合させたチップレートを利用して周波数チャネルを複数のより狭い周波数チャネルへと分割することをさらに備える、Ｃ１に記載の方法。
[Ｃ１４]
前記適合させたチップレートを利用して複数の周波数チャネルをより広い周波数チャネルへと結合することをさらに備える、Ｃ１に記載の方法。
[Ｃ１５]
無線通信のための方法であって、
基地局においてフレキシブル帯域幅チャネルを決定することと、
前記基地局から通常帯域幅チャネルおよび前記フレキシブル帯域幅チャネル上に同時に送信することとを備える方法。
[Ｃ１６]
前記フレキシブル帯域幅チャネルを利用するために前記基地局におけるチップレートを適合させることをさらに備える、Ｃ１５に記載の方法。
[Ｃ１７]
前記適合させたチップレートを移動デバイスに通知するために前記基地局から前記移動デバイスへ適合情報を送信することをさらに備える、Ｃ１６に記載の方法。
[Ｃ１８]
前記フレキシブル帯域幅チャネルを特定するために前記基地局から前記移動デバイスへ１つまたは複数の中心周波数を送信することをさらに備える、Ｃ１７に記載の方法。
[Ｃ１９]
前記チップレートを適合させることが、前記基地局における処理の周波数を適合させることを含む、Ｃ１６に記載の方法。
[Ｃ２０]
前記チップレートを適合させることが、少なくとも１つのクロックの周波数を適合させることを含み、前記少なくとも１つのクロックが、ＡＤＣ、ＤＡＣ、処理クロック、またはオフラインクロックのうちの少なくとも１つを含む、Ｃ１５に記載の方法。
[Ｃ２１]
前記通常帯域幅チャネルおよび前記フレキシブル帯域幅チャネルが、同じ無線接続技術を利用する、Ｃ１５に記載の方法。
[Ｃ２２]
前記チップレートを適合させることが、要求されたサービス品質に基づく、Ｃ１６に記載の方法。
[Ｃ２３]
前記チップレートを適合させることが、負荷に基づく、Ｃ１６に記載の方法。
[Ｃ２４]
前記チップレートを適合させることが、１つまたは複数の隣接セルのカバレッジに基づく、Ｃ１６に記載の方法。
[Ｃ２５]
周波数チャネルを複数のより狭い周波数チャネルへと分割することをさらに備える、Ｃ１５に記載の方法。
[Ｃ２６]
複数の周波数チャネルをより広い周波数チャネルへと結合することをさらに備える、Ｃ１５に記載の方法。
[Ｃ２７]
フレキシブル帯域幅チャネルを利用するために構成された無線通信システムであって、
移動デバイスのチップレートを特定するための手段と、
前記移動デバイスがフレキシブル帯域幅チャネルを介して通信するように、前記移動デバイスの前記チップレートを動的に適合させるための手段とを備える、無線通信システム。
[Ｃ２８]
前記移動デバイスの前記チップレートを動的に適合させるために基地局から適合情報を受信するための手段をさらに備える、Ｃ２７に記載の無線通信システム。
[Ｃ２９]
オンザフライで前記移動デバイスの前記チップレートを適合させるための手段をさらに備える、Ｃ２７に記載の無線通信システム。
[Ｃ３０]
前記フレキシブル帯域幅チャネルを特定するために１つまたは複数の中心周波数を受信するための手段をさらに備える、Ｃ２８に記載の無線通信システム。
[Ｃ３１]
前記フレキシブル帯域幅チャネルを介して１つまたは複数のフレキシブル帯域幅波形を受信するための手段をさらに備える、Ｃ２７に記載の無線通信システム。
[Ｃ３２]
前記チップレートを前記適合させることが、前記移動デバイスの処理の周波数、少なくとも１つのクロックの周波数を適合させることを含み、前記少なくとも１つのクロックが、ＡＤＣクロック、ＤＡＣクロック、処理クロック、またはオフラインクロックのうちの少なくとも１つを含む、Ｃ２７に記載の無線通信システム。
[Ｃ３３]
前記適合させたチップレートを利用して周波数チャネルを複数のより狭い周波数チャネルへと分割するための手段をさらに備える、Ｃ２７に記載の無線通信システム。
[Ｃ３４]
前記適合させたチップレートを利用して複数の周波数チャネルをより広い周波数チャネルへと結合するための手段をさらに備える、Ｃ２７に記載の無線通信システム。
[Ｃ３５]
無線通信システム内でフレキシブル帯域幅チャネルを利用するためのコンピュータプログラム製品であって、
移動デバイスのチップレートを特定するためのコードと、
前記移動デバイスがフレキシブル帯域幅チャネルを介して通信するように、前記移動デバイスの前記チップレートを動的に適合させるためのコードとを備える非一時的なコンピュータ可読媒体を備える、コンピュータプログラム製品。
[Ｃ３６]
前記非一時的なコンピュータ可読媒体が、
前記移動デバイスの前記チップレートを動的に適合させるために基地局から適合情報を受信するためのコードをさらに備える、Ｃ３５に記載のコンピュータプログラム製品。
[Ｃ３７]
前記非一時的なコンピュータ可読媒体が、
前記移動デバイスが前記チップレートを適合させるにつれて、第１の中心周波数から第２の中心周波数へ同調させるためのコードをさらに備える、Ｃ３５に記載のコンピュータプログラム製品。
[Ｃ３８]
前記非一時的なコンピュータ可読媒体が、
前記フレキシブル帯域幅チャネルを特定するために１つまたは複数の中心周波数を受信するためのコードをさらに備える、Ｃ３６に記載のコンピュータプログラム製品。
[Ｃ３９]
前記非一時的なコンピュータ可読媒体が、
前記フレキシブル帯域幅チャネルを介して１つまたは複数のフレキシブル帯域幅波形を受信するためのコードをさらに備える、Ｃ３５に記載のコンピュータプログラム製品。
[Ｃ４０]
前記チップレートを前記適合させることが、前記移動デバイスの処理の周波数、少なくとも１つのクロックの周波数を適合させることを含み、前記少なくとも１つのクロックが、ＡＤＣクロック、ＤＡＣクロック、処理クロック、またはオフラインクロックのうちの少なくとも１つを含む、Ｃ３５に記載のコンピュータプログラム製品。
[Ｃ４１]
フレキシブル帯域幅チャネルを利用するために構成された無線通信デバイスであって、
移動デバイスのチップレートを特定し、
前記移動デバイスがフレキシブル帯域幅チャネルを介して通信するように、前記移動デバイスの前記チップレートを動的に適合させるように構成された少なくとも１つのプロセッサと、
前記少なくとも１つのプロセッサに結合された少なくとも１つのメモリとを備える、無線通信デバイス。
[Ｃ４２]
前記少なくとも１つのプロセッサが、
前記移動デバイスの前記チップレートを動的に適合させるために基地局から適合情報を受信するようにさらに構成される、Ｃ４１に記載の無線通信デバイス。
[Ｃ４３]
前記少なくとも１つのプロセッサが、
前記移動デバイスが前記チップレートを適合させるにつれて、通常帯域幅チャネルから前記フレキシブル帯域幅チャネルへと移動させるようにさらに構成される、Ｃ４１に記載の無線通信デバイス。
[Ｃ４４]
前記少なくとも１つのプロセッサが、
前記フレキシブル帯域幅チャネルを特定するために１つまたは複数の中心周波数を受信するようにさらに構成される、Ｃ４２に記載の無線通信デバイス。
[Ｃ４５]
前記少なくとも１つのプロセッサが、
前記フレキシブル帯域幅チャネルを介して１つまたは複数のフレキシブル帯域幅波形を受信するようにさらに構成される、Ｃ４１に記載の無線通信デバイス。
[Ｃ４６]
前記チップレートを適合させることが、前記移動デバイスの処理の周波数、少なくとも１つのクロックの周波数を適合させることを含み、前記少なくとも１つのクロックが、ＡＤＣクロック、ＤＡＣクロック、処理クロック、またはオフラインクロックのうちの少なくとも１つを含む、Ｃ４１に記載の無線通信デバイス。
[Ｃ４７]
フレキシブル帯域幅を利用するために構成された無線通信システムであって、
基地局においてフレキシブル帯域幅チャネルを決定するための手段と、
前記基地局から通常帯域幅チャネルおよび前記フレキシブル帯域幅チャネル上に同時に送信するための手段とを備える、無線通信システム。
[Ｃ４８]
前記フレキシブル帯域幅チャネルを利用するために前記基地局におけるチップレートを適合させるための手段をさらに備える、Ｃ４７に記載の無線通信システム。
[Ｃ４９]
前記適合させたチップレートを移動デバイスに通知するために前記基地局から前記移動デバイスへ適合情報を送信するための手段をさらに備える、Ｃ４８に記載の無線通信システム。
[Ｃ５０]
前記フレキシブル帯域幅チャネルを特定するために前記基地局から前記移動デバイスへ１つまたは複数の中心周波数を送信するための手段をさらに備える、Ｃ４９に記載の無線通信システム。
[Ｃ５１]
前記チップレートを適合させることが、少なくとも要求されたサービス品質、負荷、または１つもしくは複数の隣接セルのカバレッジに基づく、Ｃ４８に記載の無線通信システム。
[Ｃ５２]
周波数チャネルを複数のより狭い周波数チャネルへと分割するための手段をさらに備える、Ｃ４７に記載の無線通信システム。
[Ｃ５３]
複数の周波数チャネルをより広い周波数チャネルへと結合するための手段をさらに備える、Ｃ４７に記載の無線通信システム。
[Ｃ５４]
無線通信システム内でフレキシブル帯域幅を利用するためのコンピュータプログラム製品であって、
基地局においてフレキシブル帯域幅チャネルを決定するためのコードと、
前記基地局から通常帯域幅チャネルおよび前記フレキシブル帯域幅チャネル上に同時に送信するためのコードとを備える非一時的なコンピュータ可読媒体を備える、コンピュータプログラム製品。
[Ｃ５５]
前記非一時的なコンピュータ可読媒体が、
前記フレキシブル帯域幅チャネルを利用するために前記基地局におけるチップレートを適合させるためのコードをさらに備える、Ｃ５４に記載のコンピュータプログラム製品。
[Ｃ５６]
前記非一時的なコンピュータ可読媒体が、
前記適合させたチップレートを移動デバイスに通知するために前記基地局から前記移動デバイスへ適合情報を送信するためのコードをさらに備える、Ｃ５５に記載のコンピュータプログラム製品。
[Ｃ５７]
前記非一時的なコンピュータ可読媒体が、
前記フレキシブル帯域幅チャネルを特定するために前記基地局から前記移動デバイスへ１つまたは複数の中心周波数を送信するためのコードをさらに備える、Ｃ５６に記載のコンピュータプログラム製品。
[Ｃ５８]
前記チップレートを適合させることが、少なくとも要求されたサービス品質、負荷、または１つもしくは複数の隣接セルのカバレッジに基づく、Ｃ５５に記載のコンピュータプログラム製品。
[Ｃ５９]
フレキシブル帯域幅を利用するために構成された無線通信デバイスであって、
基地局においてフレキシブル帯域幅チャネルを決定し、
前記基地局から通常帯域幅チャネルおよび前記フレキシブル帯域幅チャネル上に同時に送信するように構成された少なくとも１つのプロセッサと、
前記少なくとも１つのプロセッサに結合された少なくとも１つのメモリとを備える、無線通信デバイス。
[Ｃ６０]
前記少なくとも１つのプロセッサが、
前記フレキシブル帯域幅チャネルを利用するために前記基地局におけるチップレートを適合させるようにさらに構成される、Ｃ５９に記載の無線通信デバイス。
[Ｃ６１]
前記少なくとも１つのプロセッサが、
前記適合させたチップレートを移動デバイスに通知するために前記基地局から前記移動デバイスへ適合情報を送信するようにさらに構成される、Ｃ６０に記載の無線通信デバイス。
[Ｃ６２]
前記少なくとも１つのプロセッサが、
前記フレキシブル帯域幅チャネルを特定するために前記基地局から前記移動デバイスへ１つまたは複数の中心周波数を送信するようにさらに構成される、Ｃ６１に記載の無線通信デバイス。
[Ｃ６３]
前記チップレートを適合させることが、少なくとも要求されたサービス品質、負荷、または１つもしくは複数の隣接セルのカバレッジに基づく、Ｃ６０に記載の無線通信デバイス。